(57)【要約】【課題】外出先でも通話子器との通話が可能なインターホンシステムを提供する。【解決手段】携帯電話端末３が無線通信機能によって応答しない場合に親機１の親機制御部１４が回線Ｉ／Ｆ部１６より加入者電話回線網Ｎ１へ携帯電話端末３の電話番号をダイヤル発信する。携帯電話端末３がダイヤル発信に応答すれば加入者電話回線網Ｎ１並びに携帯電話網Ｎ２を介して親機１の回線Ｉ／Ｆ部１６と携帯電話端末３との間に回線が閉結される。その結果、外出先で携帯電話端末３を使ってドアホン子器２と通話することができて使い勝手が向上する。【選択図】図１
2008135880.tif 000002
【特許請求の範囲】
【請求項１】
住戸外に設置される通話子器と、住戸内に設置されるとともに信号線を介して音声信号を授受することにより通話子器との間でインターホン通話が可能なインターホン親機と、携帯電話事業者の携帯電話網を介して通話する携帯電話機能並びに前記携帯電話網を介さずに無線通信する無線通信機能を有する携帯電話端末に対してインターホン親機と携帯電話端末の無線通信機能とをインタフェースする無線インタフェース手段とを備え、無線インタフェース手段を介して携帯電話端末と通話子器若しくはインターホン親機との間で音声信号を授受してなり、
インターホン親機は、音声の入出力を行う音声入出力手段と、加入者電話回線網へダイヤル発信するダイヤル発信手段と、通話子器並びに音声入出力手段と加入者電話回線網との間をインタフェースする電話回線インタフェース手段と、無線インタフェース手段を介し携帯電話端末に対して呼出通知を送信するとともに所定時間内に当該携帯電話端末から応答通知が返信されないときはダイヤル発信手段により当該携帯電話端末の電話番号にダイヤル発信させ、携帯電話端末が応答したときは電話回線インタフェース手段により加入者電話回線網を介して通話子器若しくは音声入出力手段と携帯電話端末との間で音声信号を授受させる外線通話手段とを具備したことを特徴とするインターホンシステム。
【発明の詳細な説明】
【技術分野】
【０００１】
本発明は、インターホンシステムに関するものである。
【背景技術】
【０００２】
従来より、住戸外に設置される通話子器（住戸の外玄関に設置されるドアホン子器や集合住宅の共用玄関に設置されるロビーインターホン装置など）と、住戸内に設置されるとともに信号線を介して通話子器と接続されるインターホン親機とを備え、信号線を介して音声信号を授受することによりインターホン親機と通話子器との間でインターホン通話が可能なインターホンシステムが種々提供されている。ここで、インターホン親機だけでなく、加入者電話回線に接続された一般の電話機でも通話子器との通話を可能としたインターホンシステムが既に提供されている（特許文献１参照）。
【０００３】
また、現在では一般の電話機にもワイヤレス子機を備えたものが広く普及しており、インターホン親機を介した通話子器との通話と電話機を介した外線通話の双方が可能なワイヤレス子機を備えたインターホンシステムも提供されている（例えば、特許文献２参照）。
【特許文献１】特開平５−３５７９号公報
【特許文献２】特開昭６３−２３６４２７号公報
【発明の開示】
【発明が解決しようとする課題】
【０００４】
ところで、インターホン親機を介してワイヤレス子機と通話子器との間でインターホン通話を行うものは特許文献２に開示されているが、ワイヤレス子機による通話可能な範囲は数メートルから十数メートルにすぎず、例えば、外出先においてワイヤレス子機で通話子器と通話することができないため、使い勝手が悪いものであった。
【０００５】
本発明は上記事情に鑑みて為されたものであり、その目的は、外出先でも通話子器との通話が可能なインターホンシステムを提供することにある。
【課題を解決するための手段】
【０００６】
請求項１の発明は、上記目的を達成するために、住戸外に設置される通話子器と、住戸内に設置されるとともに信号線を介して音声信号を授受することにより通話子器との間でインターホン通話が可能なインターホン親機と、携帯電話事業者の携帯電話網を介して通話する携帯電話機能並びに前記携帯電話網を介さずに無線通信する無線通信機能を有する携帯電話端末に対してインターホン親機と携帯電話端末の無線通信機能とをインタフェースする無線インタフェース手段とを備え、無線インタフェース手段を介して携帯電話端末と通話子器若しくはインターホン親機との間で音声信号を授受してなり、インターホン親機は、音声の入出力を行う音声入出力手段と、加入者電話回線網へダイヤル発信するダイヤル発信手段と、通話子器並びに音声入出力手段と加入者電話回線網との間をインタフェースする電話回線インタフェース手段と、無線インタフェース手段を介し携帯電話端末に対して呼出通知を送信するとともに所定時間内に当該携帯電話端末から応答通知が返信されないときはダイヤル発信手段により当該携帯電話端末の電話番号にダイヤル発信させ、携帯電話端末が応答したときは電話回線インタフェース手段により加入者電話回線網を介して通話子器若しくは音声入出力手段と携帯電話端末との間で音声信号を授受させる外線通話手段とを具備したことを特徴とする。
【発明の効果】
【０００７】
請求項１の発明によれば、加入者電話回線網へダイヤル発信するダイヤル発信手段と、通話子器並びに音声入出力手段と加入者電話回線網との間をインタフェースする電話回線インタフェース手段と、無線インタフェース手段を介し携帯電話端末に対して呼出通知を送信するとともに所定時間内に当該携帯電話端末から応答通知が返信されないときはダイヤル発信手段により当該携帯電話端末の電話番号にダイヤル発信させ、携帯電話端末が応答したときは電話回線インタフェース手段により加入者電話回線網を介して通話子器若しくは音声入出力手段と携帯電話端末との間で音声信号を授受させる外線通話手段とをインターホン親機に具備しているので、携帯電話端末が無線通信機能によって応答しない場合にインターホン親機から加入者電話回線網へ当該携帯電話端末の電話番号をダイヤル発信し、携帯電話端末がダイヤル発信に応答すれば加入者電話回線網並びに携帯電話網を介してインターホン親機の電話回線インタフェース手段と携帯電話端末との間に回線が閉結され、インターホン親機を介した携帯電話端末と通話子器との通話若しくはインターホン親機と携帯電話端末との通話が可能になる。しかも、携帯電話端末が無線通信機能の通信圏内にあるときは、携帯電話端末による通話子器若しくはインターホン親機との通話において携帯電話事業者の携帯電話網を介さずに通話できるから、通話に要するコストを大幅に低減することが可能である。
【発明を実施するための最良の形態】
【０００８】
（実施形態１）
本実施形態は戸建て住宅向けのインターホンシステムに本発明の技術思想を適用したものであって、図１に示すように住戸外（外玄関）に設置される通話子器（ドアホン子器）２と、住戸内に設置されるとともに信号線Ｌｓを介してドアホン子器２と接続されるインターホン親機（以下、「親機」と略す。）１とを備えている。また、本実施形態における親機１は、後述する無線インタフェース手段を介して携帯電話端末３と無線通信することが可能であり、且つ電話回線インタフェース手段によって加入者電話回線網Ｎ１並びに携帯電話事業者の携帯電話網Ｎ２を介して携帯電話端末３との間で音声を授受することが可能である。
【０００９】
携帯電話端末３は、例えばＷ−ＣＤＭＡ(Wideband Code Division Multiple Access)方式の第３世代携帯電話端末であって、マイクロホン３０並びにスピーカ３１と、携帯電話事業者の基地局と無線通信するための第１無線部３２と、無線ＬＡＮに関する規格（例えば、IEEE 802.11諸規格）に準拠した無線通信を行うための第２無線部３３と、液晶表示器などの表示デバイスを有するモニタ部３４と、テンキー等の操作釦を具備して操作入力を受け付ける操作入力受付部３５と、ＣＰＵを主構成要素とし各部の制御を行う端末制御部３６とを具備し、第１無線部３２により携帯電話事業者の携帯電話網を介して通話する携帯電話機能、並びに第２無線部３３により携帯電話網を介さずに無線通信する無線通信機能（無線ＬＡＮ機能）を有している。但し、携帯電話端末３の携帯電話機能並びにIEEE 802.11諸規格に準拠した無線ＬＡＮ機能については従来周知であるから詳細な説明を省略する。
【００１０】
ドアホン子器２は、マイクロホン２０並びにスピーカ２１と、音声信号の２線４線変換処理や呼出釦（図示せず）の操作に伴う呼出信号の伝送処理を行う通話処理部２２と、来訪者を撮像する撮像部２３と、撮像部２３から出力する映像信号を変調して通話処理部２２から出力する音声信号と周波数分割多重するとともに信号線Ｌｓを介して親機１から伝送されてくる音声信号を分離する多重分離処理部２４とを具備している。但し、かかるドアホン子器２の構成は従来周知であるから、詳細な説明は省略する。
【００１１】
親機１は、信号線Ｌｓを介してドアホン子器２より周波数分割多重伝送される映像信号と音声信号を分離するとともにドアホン子器２に対して信号線Ｌｓを介して音声信号を伝送する多重分離処理部１０と、液晶表示器やＣＲＴなどの表示デバイスを有し多重分離処理部１０で分離された映像信号を復調して表示するモニタ部１１と、マイクロホン並びにスピーカ、マイクロホンの出力を増幅するマイクロホンアンプ、スピーカへの入力を増幅するスピーカアンプを有する音声入出力部１２と、応答釦（図示せず）等の操作釦を具備して操作入力を受け付ける操作入力受付部１３と、ＣＰＵを主構成要素とし各部の制御を行う親機制御部１４と、親機１（親機制御部１４）と携帯電話端末３の無線通信機能とをインタフェースする無線インタフェース（Ｉ／Ｆ）部１５と、親機制御部１４と加入者電話回線網とをインタフェースする電話回線インタフェース手段たる回線インタフェース（Ｉ／Ｆ）部１６とを具備している。なお、無線Ｉ／Ｆ部１５は、携帯電話端末３の第２無線部３３と同様に無線ＬＡＮに関する規格（例えば、IEEE 802.11諸規格）に準拠した無線通信を行うものである。また、親機制御部１４には家人が保有する携帯電話端末３の電話番号が内蔵メモリに設定登録されており、設定登録された電話番号に回線Ｉ／Ｆ部１６を介してダイヤル発信するとともに、相手の携帯電話端末３との間で回線が閉結されれば、当該携帯電話端末３との間で音声を授受することが可能であって、本実施形態では親機制御部１４がダイヤル発信手段並びに外線通話手段に相当する。但し、ダイヤル発信や外線通話の具体的な機能については一般の固定電話機と共通であって従来周知であるから説明は省略する。
【００１２】
次に本実施形態の動作を説明する。まず、ドアホン子器２と親機１との間で通話するインターホンシステムの基本動作について簡単に説明する。
【００１３】
来訪者がドアホン子器２の呼出釦（図示せず）を押操作すると信号線Ｌｓを介して親機１に呼出信号が伝送され、親機１においては親機制御部１４により音声入出力部１２のスピーカから呼出音を鳴動させるとともに信号線Ｌｓを介して電源を供給することでドアホン子器２の撮像部２３を起動し、撮像部２３で撮像された映像（動画）をモニタ部１１に表示させる。そして、モニタ部１１に表示された映像で来訪者を確認した家人が親機１の操作入力受付部１３に設けられた応答釦（図示せず）を押操作すれば、親機制御部１４によりドアホン子器２との間に信号線Ｌｓを介した通話路が形成されて親機１とドアホン子器２との間において通話が可能になるとともに、通話中においては親機１のモニタ部１１にドアホン子器２から伝送される映像を表示させることが可能になる。但し、親機１とドアホン子器２との間の通話並びに映像伝送は、応答釦が押操作されてから所定時間が経過するか若しくは再度応答釦が押操作されたときに終了する。
【００１４】
続いて、図２のシーケンス図を参照しながらドアホン子器２と携帯電話端末３との通話に関する動作を説明する。
【００１５】
呼出釦が押操作されてドアホン子器２から信号線Ｌｓを介して呼出信号が送信されると、親機１の親機制御部１４が無線Ｉ／Ｆ部１５より携帯電話端末３に対して呼出通知を行うとともに音声入出力部１２のスピーカから呼出音を鳴動させる。携帯電話端末３では、親機１から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦（図示せず）を押操作すれば、端末制御部３６が第２無線部３３より親機１に対して応答通知を行う。親機１では、携帯電話端末３から送信された応答通知を無線Ｉ／Ｆ部１５で受信すると、親機制御部１４がドアホン子器２との間に信号線Ｌｓを介した通話路を形成するとともに無線Ｉ／Ｆ部１５より携帯電話端末３に対して通話許可通知を行い、さらに音声入出力部１２のスピーカから鳴動させていた呼出音を停止する。携帯電話端末３では、親機１から送信された通話許可通知を第２無線部３３で受信すると端末制御部３６がスピーカ３１から鳴動させていた呼出音を停止する。そして、ドアホン子器２から親機１に伝送された映像と音声（送話音声）が親機制御部１４で各々映像データと音声データに変換されて無線Ｉ／Ｆ部１５より携帯電話端末３へ送信され、携帯電話端末３においては、親機１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より親機１へ送信され、親機１においては、携帯電話端末３から送信された音声データを無線Ｉ／Ｆ部１５で受信すると親機制御部１４が音声データをアナログの音声信号に変換して多重分離処理部１０よりドアホン子器２に送信し、ドアホン子器２のスピーカ２１から音声（受話音声）が鳴動されてドアホン子器２と携帯電話端末３との間で通話が可能となる。但し、親機１を介した携帯電話端末３とドアホン子器２との間の通話並びに映像伝送は、携帯電話端末３で応答釦が押操作されてから所定時間が経過するか若しくは再度応答釦が押操作されたときに終了する。
【００１６】
次に、携帯電話端末３を所持した家人が外出していて無線Ｉ／Ｆ部１５の通信圏外に居る場合の動作について、図３のシーケンス図を参照しながら説明する。
【００１７】
ドアホン子器２から呼出信号を受信した親機１の親機制御部１４は、無線Ｉ／Ｆ部１５より携帯電話端末３に対して呼出通知を行うとともに音声入出力部１２のスピーカから呼出音を鳴動させ、さらに所定時間（例えば、数十秒間）の計時を開始する。当該所定時間内に携帯電話端末３から応答通知を受信しなければ、親機制御部１４は回線Ｉ／Ｆ部１６より加入者電話回線網Ｎ１へ携帯電話端末３の電話番号にダイヤル発信する。すると、加入者電話回線網Ｎ１から携帯電話事業者の携帯電話網Ｎ２を介して携帯電話端末３に着呼し、携帯電話端末３の端末制御部３６がスピーカ３１から着信音を鳴動させる。そして、着信音を聞いた家人が携帯電話端末３の操作入力受付部３５の応答釦を押操作すれば、端末制御部３６が第１無線部３２より携帯電話網Ｎ２の基地局へ応答通知を行うことにより、親機１と携帯電話端末３との間で回線が閉結されて音声の授受（通話）が可能となる。このように回線が閉結されると、親機１の親機制御部１４がドアホン子器２との間に信号線Ｌｓを介した通話路を形成するとともに音声入出力部１２のスピーカから鳴動させていた呼出音を停止する。そして、ドアホン子器２から親機１に伝送された音声（送話音声）が回線Ｉ／Ｆ部１６より加入者電話回線網Ｎ１へ送出され、携帯電話端末３においては、親機１から送信された音声を第１無線部３２で受信してスピーカ３１から鳴動させる。また、マイクロホン３０から入力した音声（送話音声）が第１無線部３２より携帯電話網Ｎ２へ送信され、親機１においては、携帯電話端末３から送信された音声を回線Ｉ／Ｆ部１６で受信して多重分離処理部１０よりドアホン子器２に送信し、ドアホン子器２のスピーカ２１から音声（受話音声）が鳴動されてドアホン子器２と携帯電話端末３との間で通話が可能となる。但し、親機１を介した携帯電話端末３とドアホン子器２との間の通話は、携帯電話端末３で応答釦が押操作されてから所定時間が経過するか若しくは再度応答釦が押操作されたときに終了する。
【００１８】
上述のように本実施形態によれば、親機１だけでなく携帯電話端末３を使ってドアホン子器２と通話ができるから使い勝手が向上し、しかも、携帯電話端末３によるドアホン子器２との通話においては携帯電話事業者の携帯電話網を介さずに通話できるから、通話に要するコストを大幅に低減することが可能である。また、音声だけでなくドアホン子器２の撮像部２３で撮像された映像も親機１から携帯電話端末３に中継され、携帯電話端末３のモニタ部３４にドアホン子器２から受け取った映像を表示することができるから、携帯電話端末３を使って来訪者の映像を視認しながら通話することができる。さらに、携帯電話端末３が無線通信機能によって応答しない場合に親機１から加入者電話回線網Ｎ１へ携帯電話端末３の電話番号をダイヤル発信し、携帯電話端末３がダイヤル発信に応答すれば加入者電話回線網Ｎ１並びに携帯電話網Ｎ２を介して親機１の回線Ｉ／Ｆ部１６と携帯電話端末３との間に回線が閉結され、親機１を介した携帯電話端末３とドアホン子器２との通話が可能になり、その結果、外出先で携帯電話端末３を使ってドアホン子器２と通話することができて使い勝手が向上する。また親機制御部１４においては、何ら特別な設定（例えば、家人が外出する際に何らかの操作をして留守モードに設定するなど）を行わなくても上述のダイヤル発信の処理を自動的に行っている点でも使い勝手がよく、さらに、親機１からドアホン子器２へはダイヤル発信に伴う発信音等が送信されないから、外出先で応対していることが来訪者に気づかれることがない。
【００１９】
なお、詳しい説明は省略するが、本実施形態では親機１と携帯電話端末３との間で通話することも可能である。そして、親機１と携帯電話端末３との通話においても、親機１の呼出に対して携帯電話端末３が所定時間内に応答しなければ、ドアホン子器２との通話の場合と同様に携帯電話端末３の電話番号にダイヤル発信し、加入者電話回線網Ｎ１から携帯電話事業者の携帯電話網Ｎ２を介して親機１と携帯電話端末３との間で通話することができる。
【００２０】
（実施形態２）
本実施形態は集合住宅向けのインターホンシステムに本発明の技術思想を適用したものであって、図４に示すように集合住宅の各住戸外（外玄関）に設置されるドアホン子器２と、集合住宅の各住戸内に設置されるとともに信号線Ｌｓを介してドアホン子器２と接続される親機１と、集合住宅の共用玄関（ロビー）に設置されるとともに各々通信線Ｌｘ並びに制御線Ｌｙを介して各住戸の親機１と接続される通話子器（ロビーインターホン装置７）とを備えている。但し、本実施形態における親機１の基本構成は実施形態１と共通であり、また、ドアホン子器２と携帯電話端末３は実施形態１と共通であるから、共通の構成要素には同一の符号を付して図示並びに説明を適宜省略する。
【００２１】
各住戸に設置される親機１は、信号線Ｌｓを介してドアホン子器２に接続する多重分離処理部１０、モニタ部１１、音声入出力部１２、操作入力受付部１３、親機制御部１４、無線Ｉ／Ｆ部１５、回線Ｉ／Ｆ部１６に加えて、通信線Ｌｘを介してロビーインターホン装置７より周波数分割多重伝送される映像信号と音声信号を分離するとともにロビーインターホン装置７に対して通信線Ｌｘを介して音声信号を伝送する多重分離処理部１７と、制御線Ｌｙを介してロビーインターホン装置７との間で制御信号を送受信する制御信号送受信部１８とを具備している。ここで、通信線Ｌｘと制御線Ｌｙは複数対のペア線をシース内に備える多対ツイストペアケーブルからなり、ロビーインターホン装置７に接続された通信線Ｌｘと制御線Ｌｙ（これを幹線Ｌ１と呼ぶ。）からそれぞれ分岐された通信線Ｌｘと制御線Ｌｙ（これを住戸別線Ｌ２と呼ぶ。）に各住戸の親機１が接続されている。但し、親機１においては、住戸別線Ｌ２のうちの制御線Ｌｙとは常時接続されているが、通信線Ｌｘとは常時は接続されずにロビーインターホン装置７によって呼び出されたときにだけ接続されるように親機制御部１４が開閉制御している。
【００２２】
ロビーインターホン装置７は、マイクロホン並びにスピーカ、マイクロホンの出力を増幅するマイクロホンアンプ、スピーカへの入力を増幅するスピーカアンプを有する音声入出力部７０と、来訪者を撮像する撮像部７１と、住戸番号を指定するための番号キー並びに呼出釦（図示せず）を有して操作入力を受け付ける操作入力受付部７２と、制御線Ｌｙを介して制御信号を送受信する制御信号送受信部７３と、ＣＰＵを主構成要素とし各部の制御を行うロビーインターホン制御部７４とを具備している。ロビーインターホン制御部７４は、撮像部７１から出力する映像信号を変調して音声入出力部７０から出力する音声信号と周波数分割多重するとともに通信線Ｌｘを介して親機１から伝送されてくる音声信号を分離する機能を有している。ここで、親機１の親機制御部１４には個別にアドレス（住戸番号）が設定されており、番号キーが操作されて操作入力受付部７２で住戸番号の入力が受け付けられると、ロビーインターホン制御部７４が入力された住戸番号を指定する制御信号（呼出コマンド）を生成し、生成した制御信号を制御信号送受信部７３から制御線Ｌｙを介して全ての親機１に送信する。なお、音声入出力部７０が、各々エコーキャンセラ若しくは音声スイッチの少なくとも何れか一方を具備すれば、ロビーインターホン装置７で拡声通話（ハンズフリー通話）を行うことができる。
【００２３】
一方、親機１の親機制御部１４は、制御信号に含まれる住戸番号が自己の住戸番号であれば住戸別線Ｌ２の通信線Ｌｘを接続し、ロビーインターホン装置７の撮像部７１において撮像され且つ通信線Ｌｘを介して伝送される来訪者の映像をモニタ部１１に表示させるとともに、音声入出力部１２のスピーカから呼出音を鳴動する。そして、呼出音に応じて家人が操作入力受付部１３の応答釦を押操作すれば、ロビーインターホン装置７と選択された親機１との間でのみ通話可能にすることができるとともに、選択された親機１でのみ撮像部７１で撮像された来訪者をモニタ部１１に表示することが可能になる。
【００２４】
次に、ロビーインターホン装置７と携帯電話端末３との通話に関する動作を説明する。
【００２５】
ロビーインターホン装置７から制御線Ｌｙを介して送信される制御信号（呼出コマンド）を制御信号送受信部１８で受信すると、親機１の親機制御部１４が無線Ｉ／Ｆ部１５より携帯電話端末３に対して呼出通知を行うとともに音声入出力部１２のスピーカから呼出音を鳴動させる。携帯電話端末３では、親機１から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦を押操作すれば、端末制御部３６が第２無線部３３より親機１に対して応答通知を行う。親機１では、携帯電話端末３から送信された応答通知を無線Ｉ／Ｆ部１５で受信すると、親機制御部１４が無線Ｉ／Ｆ部１５より携帯電話端末３に対して通話許可通知を行い、さらに音声入出力部１２のスピーカから鳴動させていた呼出音を停止する。携帯電話端末３では、親機１から送信された通話許可通知を第２無線部３３で受信すると端末制御部３６がスピーカ３１から鳴動させていた呼出音を停止する。そして、ロビーインターホン装置７から親機１に伝送された映像と音声（送話音声）が親機制御部１４で各々映像データと音声データに変換されて無線Ｉ／Ｆ部１５より携帯電話端末３へ送信され、携帯電話端末３においては、親機１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より親機１へ送信され、親機１においては、携帯電話端末３から送信された音声データを無線Ｉ／Ｆ部１５で受信すると親機制御部１４が音声データをアナログの音声信号に変換して多重分離処理部１７よりロビーインターホン装置７に送信し、ロビーインターホン装置７の音声入出力部７０のスピーカから音声（受話音声）が鳴動されてロビーインターホン装置７と携帯電話端末３との間で通話が可能となる。但し、親機１を介した携帯電話端末３とロビーインターホン装置７との間の通話並びに映像伝送は、携帯電話端末３で応答釦が押操作されてから所定時間が経過するか若しくは再度応答釦が押操作されたときに終了する。
【００２６】
なお、詳しい説明は省略するが、本実施形態においてもロビーインターホン装置７からの呼出に対して所定時間内に応答がなければ、親機１が携帯電話端末３の電話番号にダイヤル発信し、加入者電話回線網Ｎ１並びに携帯電話網Ｎ２を介して携帯電話端末３とロビーインターホン装置７との間で通話することができる。また、無線Ｉ／Ｆ部を、親機１の横に並設可能な薄型のパネル形状のユニットとして構成すれば、親機１の美観を損ねることもなく、しかも、容易に後付が可能になるから使い勝手が向上するという利点もある。
【図面の簡単な説明】
【００２７】
【図１】本発明の実施形態１を示すシステム構成図である。
【図２】同上においてドアホン子器と携帯電話端末の通話に関する動作を説明するためのシーケンス図である。
【図３】同上においてドアホン子器と携帯電話端末の加入者電話回線網を介した通話に関する動作を説明するためのシーケンス図である。
【図４】本発明の実施形態２を示すシステム構成図である。
【符号の説明】
【００２８】
１  インターホン親機
２  ドアホン子器（通話子器）
３  携帯電話端末
１５  無線インタフェース（Ｉ／Ｆ）部
１６  回線インタフェース（Ｉ／Ｆ）部
３２  第１無線部
３３  第２無線部
Ｎ１  加入者電話回線網
Ｎ２  携帯電話網
【図１】
2008135880.tif 000003
【図２】
2008135880.tif 000004
【図３】
2008135880.tif 000005
【図４】
2008135880.tif 000006